(57)【要約】【課題】  写真としてインクジェット用紙を貼付したアルバム台紙を備えたアルバムでは、長期保存時の変色や埃付着、重なり合うアルバム台紙上のインクジェット用紙の有無といった大きな凸凹がインクジェット用紙表面に写ることで押し痕として残る。【解決手段】  粘着剤塗布面を有するアルバム台紙に写真を貼付するアルバムにおいて、前記粘着剤および前記アルバム台紙が写真よりも小さく、アルバム台紙の各辺から写真各辺までの垂直方向の距離が０ｍｍ以上１５．０ｍｍ以下の範囲で写真に覆われることを特徴とする写真貼付アルバムである。【選択図】  図８
2011046013.tif 000002
【特許請求の範囲】
【請求項１】
粘着剤塗布面を有するアルバム台紙に写真を貼付するアルバムにおいて、前記粘着剤および前記アルバム台紙が写真よりも小さく、アルバム台紙の各辺から写真各辺までの垂直方向の距離が０ｍｍ以上１５．０ｍｍ以下の範囲で写真に覆われることを特徴とする写真貼付アルバム。
【請求項２】
前記写真がインクジェット用紙であることを特徴とする請求項１に記載の写真貼付アルバム。
【発明の詳細な説明】
【技術分野】
【０００１】
本発明は、写真貼付アルバムに関するものである。
【背景技術】
【０００２】
従来のアルバムとしては、写真貼付部を設けたアルバム台紙と、そのアルバム台紙上に写真の表面を保護しつつ写真画像が透視できるように保護用透明シートを貼り合わせたアルバム台紙を複数枚備えているものが広く知られている。また、アルバムは長期間保存される用途から、写真を保護するために、中身である写真やアルバム台紙よりも大きなサイズかつ、厚手紙やプラスティックシートといった頑丈な表紙に覆われている。このような形態のアルバムを本棚に立てかける、箱などに収納するなどして保管する場合、アルバムを長時間保存すると、アルバム台紙端面において、紫外線や外気によるアルバム台紙の変色や埃の付着、カビの発生など課題が生じる場合がある。
【０００３】
この問題に対しては、アルバムの表紙の裏に、アルバム台紙の縁部を覆うカバーを取り付けたアルバムが開示されている。（特許文献１）
また、写真を貼付する度に保護用透明シートを剥したり、貼付したりする煩わしさや、保護用透明シートの分量に応じてアルバム自体の厚さ、重さが増加すること、保護用透明シートにより、写真上の画像本来の色彩や光沢感と異なること、などの問題が生じる場合がある。加えて、保護用透明シートは保管時の温度や湿度の影響により、カールや小皺、波打ち状の変形が生じることもある。
【０００４】
これに対しては、アルバム台紙がお互いに重なり合う面において、貼付面には接着剤部と剥離紙部を連続的または不連続的に設け、一方の貼付面の接着剤部と剥離紙部が、他の剥離紙部と接着増部にそれぞれ当接することで、透明フィルムを被覆しないアルバム台紙が開示されている。（特許文献３）
また、アルバム台紙上に任意の用紙サイズの写真貼付部を複数箇所設け、その上に剥離可能な保護紙を被覆することで、保護用透明シートによる問題点を解決しつつ、容易にアルバム編集ができ、同一ページ内に複数の大きさの写真を貼付することが可能なアルバムが開示されている。（特許文献４）
一方、アルバムに貼付される写真としては、従来は銀塩方式により印画紙上に画像形成させたものが広く用いられてきたが、近年ではインクジェット方式によりインクジェット専用用紙に印刷されたものが非常に多くなってきている。また、アルバムとしてもインクジェット用紙を貼付して保存できるタイプが市販されはじめている。このインクジェット用紙においては、白紙の保存安定性に関して、粘着剤の影響による黄変の発生といった変色問題も課題となる場合がある。例えば、ファイルに閉じて保管する場合や、粘着テープをインク受容層に貼着した場合に発生する白紙の黄変を改良するために、特定の構造を有する化合物をインク受容層に含有させたインクジェット用紙が開示されている。（特許文献２）
【先行技術文献】
【特許文献】
【０００５】
【特許文献１】特開２０００−６５４８号公報
【特許文献２】特開２００３−１０３９０９号公報
【特許文献３】実開平６−５３１８０号公報
【特許文献４】実用新案登録第３１３０７８８号明細書
【発明の概要】
【発明が解決しようとする課題】
【０００６】
上記のように、写真としてインクジェット用紙を貼付したアルバム台紙を備えたアルバムでは、長期保存時の変色や埃付着といった課題がある。また、重なり合うアルバム台紙上のインクジェット用紙の有無により、大きな凸凹がインクジェット用紙表面に写ることで押し痕として残るなどの課題がある。
【課題を解決するための手段】
【０００７】
本発明者らは、上記課題を鋭意検討した結果、以下の手段により解決できることを見出した。即ち、粘着剤塗布面を有するアルバム台紙に写真を貼付するアルバムにおいて、前記粘着剤および前記アルバム台紙が写真よりも小さく、アルバム台紙の各辺から写真各辺までの垂直方向の距離が０ｍｍ以上１５．０ｍｍ以下の範囲で写真に覆われることを特徴とする写真貼付アルバムである。
【発明の効果】
【０００８】
本発明の写真貼付アルバムによれば、アルバムを閉じた状態でもインクジェット用紙が重なり合う際に凸凹が無いため、長時間保存した時に凸凹跡が無く見栄えが良い。加えて、アルバム台紙や写真、特にインクジェット用紙の端面部分に対して、埃付着や変色を防ぐことができる。
【図面の簡単な説明】
【０００９】
【図１】アルバム台紙を複数枚備えたアルバムを示す斜視図。
【図２】剥離用シートおよびアルバム台紙と写真貼付部を示す図。
【図３】写真貼付時のアルバム台紙と写真の各辺の垂直方向距離を示す図。
【図４】剥離用シートを除去した後のアルバム台紙を示す図。
【図５】インクジェット用紙をアルバム台紙の片面のみに貼付した状態を示す図。
【図６】図５のアルバム台紙およびインクジェット用紙の状態を示す断面図。
【図７】インクジェット用紙をアルバム台紙の両面に貼付した状態を示す図。
【図８】図７のアルバム台紙およびインクジェット用紙の状態を示す断面図。
【発明を実施するための形態】
【００１０】
以下に本発明の好ましい実施形態の詳細を説明する。
【００１１】
本発明で用いられるアルバムは、図１に示すように、表表紙、裏表紙および背表紙の間に複数枚のアルバム台紙を綴じた構成のものである。また、アルバム台紙は、図２に示すように上質紙などの基材の片面または両面に粘着剤を塗布し、インクジェット用紙を貼付する写真貼付部を設け、その上に剥離用シートを貼付した構成のものである。このとき、表表紙、裏表紙および背表紙としては、アルバムを閉じた状態でアルバム台紙やインクジェット用紙の端部が覆い隠される大きさが好ましい。これは、保管時やユーザーがアルバムを持ち出す際、自重による変形や物品との衝突などによるアルバム台紙およびインクジェット用紙の破損、汚れなどから保護するためである。
【００１２】
アルバム台紙としては、基材上に粘着剤を塗布してインクジェット用紙を貼付する写真貼付部を設け、更にその写真貼付部上に保護紙、またはフィルムなどのように粘着剤が貼り付いたりしないように剥離用シートが貼付されている構成のものが用いられる。基材としては、上質紙などの紙が用いられ、インクジェット用紙を貼付することを考慮すると、白色のものが好ましい。白色以外の場合、アルバムを端面から見た時に、インクジェット用紙（通常、端面は白色）との色差があり、見栄えとして好ましくないことがある。粘着剤は、インクジェット用紙に対して再剥離性を有するものであり、アルバム台紙上の写真貼付部の全面に塗布されているものが用いられる。
【００１３】
粘着力としては、インクジェット用紙を位置合わせ等で再貼付するために剥離する際、インクジェット用紙の印刷面にシワが入る、折れるなどの課題が生じない強度であって、保存時にインクジェット用紙が剥離しない強度が好ましい。
【００１４】
上記剥離用シートは、紙またはフィルムからなり、この剥離用シートを除去して、インクジェット用紙を貼付する。インクジェット用紙を貼付した後に、剥離用シートを再貼付するタイプのものもあるが、アルバム自体の厚さ、重さが増加して、ユーザーの使い勝手が劣化する。また、再貼付した剥離用シートの影響により、インクジェット用紙上の画像の色彩や光沢感が、画像本来のものと異なる。更に、剥離用シートが保管時の温度や湿度の影響により、カールや小皺、波打ち状の変形が生じることが多い。以上の点から、剥離用シートを除去するタイプのものを用いることが好ましい。
【００１５】
アルバム台紙へ写真を貼付する場合、アルバム台紙端面への埃付着や、インクジェット用紙の粘着剤の影響による黄変などを避けるために、アルバム台紙が背表紙と接していない各辺では、写真が写真貼付部を覆うように貼付することが好ましい。
【００１６】
また、アルバムを閉じた時に写真表面に凸凹が発生することを避けるために、写真がアルバム台紙を覆うように貼付することが好ましい。但し、インクジェット用紙に対して、写真貼付部サイズが小さすぎると、アルバムを立てた状態で本棚等に置く場合、インクジェット用紙の自重でアルバム台紙から剥離し易く、また保存時には経時的にも剥離し易くなる。さらに、アルバム台紙両面にインクジェット用紙を貼付する場合、表裏２枚のインクジェット用紙が見開いて印刷されていない裏面が見えることや、ユーザーがページを捲る際にインクジェット用紙だけの部分を持つことで用紙自体が折れる、切れる、などの現象が起こり、見栄えの観点で好ましくない。これらのことを踏まえ、図３に示すアルバム台紙の各辺から写真各辺までの垂直方向の距離が０ｍｍ以上１５．０ｍｍ以下の範囲で覆われた状態にするのが好ましく、アルバムとしての見栄えから０ｍｍ以上１０．０ｍｍ以下の範囲がより好ましい。
【００１７】
上記のようなアルバム台紙とインクジェット用紙のサイズでは、剥離用シートを再貼付するタイプは、その再貼付自体が困難であるため、この点でも剥離用シートを剥離除去してインクジェット用紙を貼付するタイプのアルバム台紙を用いることが好ましい。
【００１８】
本発明で用いられるインクジェット用紙は、少なくとも基材上にインク受容層が積層された構成のものである。基材としては、紙、レジンコート紙が用いられる。レジンコート紙とは、中紙と称される紙にポリエチレン等の樹脂フィルムを積層したものである。インク受容層としては、シリカ、アルミナおよび／またはアルミナ水和物の少なくとも一種以上の無機顔料と、バインダ樹脂から構成されたものである。写真用途という観点から、インクジェット用紙の印刷面の表面性として、光沢感のあるもの、もしくは、絹目調、半光沢、微光沢のものが好適に用いられる。
【００１９】
インクジェット用紙を貼付する方法としては、図４のように剥離用シートを剥すことで写真貼付部を露出させ、その上にインクジェット用紙を貼付する。これにより、図５および図６のように、写真貼付部を両面に設けたアルバム台紙の片面にインクジェット用紙を貼付した状態となる。アルバム台紙のもう一方の面に対しても、前記同様に剥離用シートを剥し、インクジェット用紙を貼付することで、図７および図８のような状態になる。
【００２０】
（実施例）
以下、実施例により本発明を更に詳細に説明するが、本発明はこれらに限定されるものではない。
【００２１】
（実施例１）
２Ｌサイズ（１２７ｍｍ×１７８ｍｍ）のインクジェット用紙（ＧＬ−１０１：キヤノン（株）製）をインクジェットプリンタ（ＭＰ６３０、キヤノン（株）製）を用いて、黒ベタ画像のフチ有り印刷を行なった。このインクジェット用紙を、１２枚のアルバム台紙（基材：上質紙（２００ｇ／ｍ２、王子製紙（株）製））の短辺側がアルバムの背表紙部分に綴じられたアルバムに対して、アルバム台紙の両面に貼付した。
【００２２】
インクジェット用紙を貼付する部分のアルバム台紙の大きさは、１２１ｍｍ×１７５ｍｍであり、その全面かつ両面に粘着剤が塗布されている。その粘着面上に透明フィルムを剥離用シートとして貼付した構成であり、この剥離用シートを剥離除去して、アルバム台紙とインクジェット用紙の長辺同士、短辺同士が平行かつ、インクジェット用紙が写真貼付部の背表紙と接していない各辺に対して均等にはみ出すように貼付してアルバムを得た。
【００２３】
（実施例２）
実施例１のアルバム台紙の代わりに、１２６ｍｍ×１７７ｍｍの大きさのアルバム台紙を用い、アルバム台紙の天（上側）の辺（幅：１７７ｍｍ）とインクジェット用紙の長辺（幅：１７８ｍｍ）が重なり合うように貼付した。これ以外は、実施例１と同様にしてアルバムを得た。
【００２４】
（実施例３）
実施例１のアルバム台紙の代わりに、９７ｍｍ×１６３ｍｍの大きさのアルバム台紙を用いた。これ以外は、実施例１と同様にしてアルバムを得た。
【００２５】
（実施例４）
六切サイズ（２０３ｍｍ×２５４ｍｍ）のインクジェット用紙（ＧＰ−５０１：キヤノン（株）製）をインクジェットプリンタ（ｉＰ２６００、キヤノン（株）製）を用いて、黒ベタ画像のフチ有り印刷を行なった。また、実施例１のアルバム台紙の代わりに、１９３ｍｍ×２４９ｍｍの大きさのアルバム台紙を用いた。それ以外は、実施例１と同様にしてアルバム台紙上に貼付した。
【００２６】
（実施例５）
実施例１のアルバム台紙の代わりに、１８３ｍｍ×２４４ｍｍの大きさのアルバム台紙を用いた。これ以外は、実施例４と同様にしてアルバムを得た。
【００２７】
（比較例１）
実施例１のアルバム台紙の代わりに、１３０ｍｍ×１８１ｍｍの大きさのアルバム台紙を用い、アルバム台紙の天（上側）の辺（幅：１８１ｍｍ）とインクジェット用紙の長辺（幅：１７８ｍｍ）が合うように６枚のアルバム台紙に貼付した。残り６枚のアルバム台紙は、地（下側）の辺とインクジェット用紙の長辺が合うように貼付した。これ以外は、実施例１と同様にしてアルバムを得た。
【００２８】
（比較例２）
実施例４のアルバム台紙の代わりに、２０６ｍｍ×２５７ｍｍの大きさのアルバム台紙を用い、アルバム台紙の天（上側）の辺（幅：２０６ｍｍ）とインクジェット用紙の長辺（幅：２０３ｍｍ）が合うように貼付した。これ以外は、実施例４と同様にしてアルバムを得た。
【００２９】
（比較例３）
実施例４のアルバム台紙の代わりに、１６３ｍｍ×２３４ｍｍの大きさのアルバム台紙を用いた。これ以外は、実施例４と同様にしてアルバムを得た。
【００３０】
上記実施例、比較例に関わる評価は、下記の方法で行った。
【００３１】
＜凸凹評価＞
得られたアルバムを横にして、その上に同じアルバム５冊分相当の重量物を置いた状態で一ヶ月放置した後、重なり合ったインクジェット用紙表面の凸凹痕の有無を目視にて評価した。
○：インクジェット用紙表面が、アルバムを閉じる前の面状態と変わらない状態。
×：インクジェット用紙表面が、アルバムを閉じた際に重なり合わせた相手面の凸凹が写し取られた状態。
【００３２】
＜端面評価＞
得られたアルバムを立てた状態で３ヶ月間放置した後、アルバムの上下および側面からアルバム台紙およびインクジェット用紙の端面を目視にて評価した。
○：アルバム台紙およびインクジェット用紙の変色、埃付着がない状態。
×：アルバム台紙およびインクジェット用紙の変色する、または埃付着がある状態。
【００３３】
＜用紙形状評価＞
得られたアルバムを立てた状態で３ヶ月間放置した後、全てのページを捲る作業を１０回繰り返した後のインクジェット用紙形状を目視にて評価した。
○：インクジェット用紙がアルバム台紙の写真貼付部から剥れることが無く、インクジェット用紙の端部周辺に折れ、割れ、曲がりといった変形も見られない状態。
×：インクジェット用紙がアルバム台紙の写真貼付部から剥れるまたは浮き剥れる状態、もしくは、インクジェット用紙の端部周辺が折れ、割れ、曲がりといった変形のいずれかが見られる状態。
【００３４】
各実施例、比較例に対する上記評価方法の結果を表１に示す。
【００３５】
【表１】
2011046013.tif 000003
【００３６】
表１の結果より、実施例１から実施例５のようにアルバム台紙の各辺からインクジェット用紙の各辺までの垂直方向の距離が０ｍｍ以上１５．０ｍｍ以下の範囲で覆われている場合、インクジェット用紙表面の凸凹が無く、アルバム台紙およびインクジェット用紙の端面において、変色や埃付着が無く外観が良好なアルバムが得られた。
【符号の説明】
【００３７】
１  表表紙および裏表紙
２  背表紙
３  複数枚からなるアルバム台紙
４  アルバム台紙
５  写真貼付部（粘着剤塗布部）
６  剥離用シート
７  インクジェット用紙
８  アルバム台紙が背表紙と接する辺
９  アルバム台紙の辺と写真の辺の垂直方向距離
【図１】
2011046013.tif 000004
【図２】
2011046013.tif 000005
【図３】
2011046013.tif 000006
【図４】
2011046013.tif 000007
【図５】
2011046013.tif 000008
【図６】
2011046013.tif 000009
【図７】
2011046013.tif 000010
【図８】
2011046013.tif 000011